(57)【特許請求の範囲】
【請求項１】
主映像とこの主映像とは異なる時間帯に表示される副映像からなる映像データを表示するよう制御する表示制御手段と、
前記映像データの前記主映像を表示するときか前記副映像を表示するときかを検出する検出手段とを具備し、
前記表示制御手段は、前記検出手段の検出結果に基づいて、前記主映像を表示するときである場合は前記映像データを三次元表示するよう制御し、前記副映像を表示するときである場合は前記映像データを二次元表示するよう制御し、前記主映像を三次元表示しているときに前記副映像に前記映像データの表示が切り替わる場合には、前記主映像から前記副映像に切り替わった時点から一定時間が経過した後に、三次元表示から二次元表示に切り替えるよう制御することを特徴とする電子機器。
【請求項２】
二次元表示するか三次元表示するかを設定可能な表示設定手段をさらに具備し、
前記表示制御手段は、前記表示設定手段による設定が三次元表示である場合に前記主映像から前記副映像に前記映像データの表示が切り替わるときには前記主映像から前記副映像への切り替わりに応じて三次元表示から二次元表示に切り替えるよう制御し、前記表示設定手段による設定が三次元表示である場合に前記副映像から前記主映像に前記映像データの表示が切り替わるときには前記副映像から前記主映像への切り替わりに応じて二次元表示から三次元表示に切り替えるよう制御し、前記表示設定手段による設定が二次元表示である場合には前記主映像から前記副映像に前記映像データの表示が切り替わっても二次元表示と三次元表示との間の切り替えを行わず、前記表示設定手段による設定が二次元表示である場合には前記副映像から前記主映像に前記映像データの表示が切り替わっても二次元表示と三次元表示との間の切り替えを行わないことを特徴とする請求項１に記載の電子機器。
【請求項３】
前記主映像は番組映像データであり、前記副映像はコマーシャル映像データである請求項１または２に記載の電子機器。
【請求項４】
主映像とこの主映像とは異なる時間帯に表示される副映像からなる映像データを表示するよう制御する表示制御方法であって、
前記映像データの前記主映像を表示するときか前記副映像を表示するときかを検出し、
前記検出の結果に基づいて、前記主映像を表示するときである場合は前記映像データを三次元表示するよう制御し、前記副映像を表示するときである場合は前記映像データを二次元表示するよう制御し、前記主映像を三次元表示しているときに前記副映像に前記映像データの表示が切り替わる場合には、前記主映像から前記副映像に切り替わった時点から一定時間が経過した後に、三次元表示から二次元表示に切り替えるよう制御することを特徴とする表示制御方法。
【請求項５】
主映像とこの主映像とは異なる時間帯に表示される副映像からなる映像データを表示するよう制御する表示制御をコンピュータによって実行させるプログラムであって、
前記映像データの前記主映像を表示するときか前記副映像を表示するときかを検出する手順と、
前記検出の結果に基づいて、前記主映像を表示するときである場合は前記映像データを三次元表示するよう制御し、前記副映像を表示するときである場合は前記映像データを二次元表示するよう制御し、前記主映像を三次元表示しているときに前記副映像に前記映像データの表示が切り替わる場合には、前記主映像から前記副映像に切り替わった時点から一定時間が経過した後に、三次元表示から二次元表示に切り替えるよう制御する手順と
を前記コンピュータに実行させるプログラム。
【発明の詳細な説明】
【技術分野】
【０００１】
本発明の実施形態は、三次元映像をディスプレイに表示する電子機器、映像データの表示制御方法、およびプログラムに関する。
【背景技術】
【０００２】
従来から、三次元映像を視聴可能にする様々な映像表示装置が提供されている。このような映像表示装置では、例えば、両眼視差に基づく左眼用映像と右眼用映像とを用いて、ユーザに三次元映像（立体映像）を知覚させるのだが、奥行き感の効果が強い三次元映像を見ることにより、目の疲労を感じることがあると言われている。
【０００３】
奥行き感の効果が強い三次元映像を見ることによる目の疲労に配慮しつつ、２次元映像を３次元映像に変換する表示処理や３次元映像を２次元映像に変換する表示処理を行う装置に関する開示がなされている（例えば、特許文献１参照）。
【０００４】
また、入力された複合映像信号を２次元の映像に変換し、２次元映像信号の動き量に応じて３次元映像信号に変換し、２次元映像信号と３次元映像信号を、選択的に切り替え出力する表示装置に関する開示がなされている（例えば、特許文献２参照）。
【先行技術文献】
【特許文献】
【０００５】
【特許文献１】特開２００６−１２１１５５３号公報
【特許文献２】特開平７−２８１６４４号公報
【特許文献３】特開２０１０−２５２３７７号公報
【発明の概要】
【発明が解決しようとする課題】
【０００６】
ここで、三次元映像の視聴者には、目の疲労を抑えつつ、できる限り三次元映像で視聴したいという要望がある。
しかし、特許文献２の表示装置では、動き量に応じて二次元表示と三次元表示を切り換えてしまうので、視聴者が視聴したい部分をできるだけ三次元映像として表示するという視聴者のニーズに対応できていなかった。
【０００７】
本発明の目的は、三次元映像の視聴時に目の疲労を感じることを抑制させつつ、できる限り三次元映像を表示することが可能な電子機器、映像データの生成方法、およびプログラムを提供することにある。
【課題を解決するための手段】
【０００８】
実施形態によれば、電子機器は、主映像とこの主映像とは異なる時間帯に表示される副映像からなる映像データを表示するよう制御する表示制御手段と、前記映像データの前記主映像を表示するときか前記副映像を表示するときかを検出する検出手段とを具備し、前記表示制御手段は、前記検出手段の検出結果に基づいて、前記主映像を表示するときである場合は前記映像データを三次元表示するよう制御し、前記副映像を表示するときである場合は前記映像データを二次元表示するよう制御する。
【図面の簡単な説明】
【０００９】
【図１】一実施形態に係る電子機器の外観を示す斜視図。
【図２】同実施形態の電子機器のシステム構成を示すブロック図。
【図３】同実施形態の電子機器による映像コンテンツデータ表示の流れを示す概念図。
【図４】同実施形態の電子機器による映像コンテンツデータから三次元映像を生成する処理の手順を示すフローチャート。
【図５】同実施形態の表示制御の概念を示す図。
【発明を実施するための形態】
【００１０】
以下、実施の形態について図面を参照して説明する。
図１は、一実施形態に係る電子機器の外観を示す斜視図である。この電子機器は、例えばノートブックタイプのパーソナルコンピュータ１として実現される。図１に示すように、本コンピュータ１は、コンピュータ本体２と、ディスプレイユニット３とから構成される。
【００１１】
ディスプレイユニット３には、ＬＣＤ（liquid crystal display）１５が組み込まれている。ディスプレイユニット３は、コンピュータ本体２の上面が露出される開放位置とコンピュータ本体２の上面を覆う閉塞位置との間を回動自在にコンピュータ本体２に取り付けられている。
【００１２】
コンピュータ本体２は、薄い箱形の筐体を有しており、その上面には、キーボード２６、本コンピュータ１を電源オン／電源オフするためのパワーボタン２８、入力操作パネル２９、タッチパッド２７、スピーカ１８Ａ，１８Ｂなどが配置されている。入力操作パネル２９上には、各種操作ボタンが設けられている。これらボタン群には、テレビジョン（以下、ＴＶと称する）機能（視聴、録画、録画されたＴＶ放送データ／ビデオデータの再生）を制御するための操作ボタン群も含まれている。また、コンピュータ本体２の正面には、本コンピュータ１のＴＶ機能をリモート制御するリモコンユニットとの通信を実行するためのリモコンユニットインタフェース部３０が設けられている。リモコンユニットインタフェース部３０は、例えば赤外線信号受信部などから構成されており、このリモコンユニットからのリモート制御によって、ＴＶ機能を制御することもできる。
【００１３】
コンピュータ本体２の例えば背面には、例えばＨＤＭＩ（high-definition multimedia interface）規格に対応した（図示しない）外部ディスプレイ接続端子が設けられている。この外部ディスプレイ接続端子は、ＴＶ放送データのような映像コンテンツデータに含まれる映像データ（動画像データ）を外部ディスプレイに出力するために用いられる。
【００１４】
図２は、本コンピュータ１のシステム構成を示す図である。
本コンピュータ１は、図２に示すように、ＣＰＵ１１、ノースブリッジ１２、主メモリ１３、表示コントローラ１４、ビデオメモリ（ＶＲＡＭ）１４Ａ、ＬＣＤ（Liquid Crystal Display）１５、サウスブリッジ１６、サウンドコントローラ１７、スピーカ１８Ａ，１８Ｂ、ＢＩＯＳ−ＲＯＭ１９、ＬＡＮコントローラ２０、ハードディスクドライブ（ＨＤＤ）２１、光ディスクドライブ（ＯＤＤ）２２、無線ＬＡＮコントローラ２３、ＵＳＢコントローラ２４、エンベデッドコントローラ／キーボードコントローラ（ＥＣ／ＫＢＣ）２５、キーボード（ＫＢ）２６、ポインティングデバイス２７、パワーボタン２８、入力操作パネル２９、リモコンユニットインタフェース部３０、ＴＶチューナ３１、ＴＶ放送受信アンテナ３２等を備えている。
【００１５】
ＣＰＵ１１は、本コンピュータ１の動作を制御するプロセッサである。ＣＰＵ１１は、ＨＤＤ２１から主メモリ１３にロードされる、オペレーティングシステム（ＯＳ）１３Ａ、及び映像コンテンツ再生アプリケーションプログラム１３Ｂ等のようなアプリケーションプログラムを実行する。映像コンテンツ再生アプリケーションプログラム１３Ｂは、映像コンテンツデータを視聴するための機能を有するソフトウェアである。この映像コンテンツ再生アプリケーション１３Ｂは、ＴＶチューナ３１によって受信されたＴＶ放送データを視聴するためのライブ再生処理、受信されたＴＶ放送データをＨＤＤ２１に記録する録画処理、ＨＤＤ２１に記録されたＴＶ放送データ／ビデオデータを再生する再生処理、ネットワークを介して受信された映像コンテンツデータを再生する再生処理等を実行する。さらに、映像コンテンツ再生アプリケーション１３Ｂは、三次元映像を視聴するための機能も有する。映像コンテンツ再生アプリケーション１３Ｂは、映像コンテンツデータに含まれる二次元映像データを三次元映像データにリアルタイムで変換してＬＣＤ１５の画面上に表示する。また、映像コンテンツ再生アプリケーション１３Ｂは、映像コンテンツデータに含まれる三次元映像データを二次元映像データにリアルタイムで変換してＬＣＤ１５の画面上に表示する。
【００１６】
三次元映像データへの変換や二次元映像データへの変換は、公知の種々の方法を用いて実現できる（例えば、特許文献１参照）。例えば、三次元映像の表示には、シャッター方式（時分割方式とも云う）を用いてもよい。シャッター方式の三次元映像表示では、左眼用ビデオデータと右眼用ビデオデータとを含むステレオペア映像が用いられる。
【００１７】
ＬＣＤ１５は、例えば、通常のリフレッシュレート（例えば６０Ｈｚ）の２倍のリフレッシュレート（例えば１２０Ｈｚ）で駆動される。左眼用ビデオデータ内の左眼用フレームデータと右眼用ビデオデータ内の右眼用フレームデータは例えば１２０Ｈｚのリフレッシュレートで交互にＬＣＤ１５上に表示される。ユーザは、例えば、液晶シャッターメガネのような３Ｄグラス（図示せず）を用いることで、左眼用フレームに対応する画像を左眼で、右眼用フレームに対応する画像を右眼で見ることができる。３Ｄグラスは、左眼用フレームデータ及び右眼用フレームデータそれぞれの表示タイミングを示す同期信号をコンピュータ１から赤外線などを用いて受信するように構成してもよい。３Ｄグラス内の左眼用シャッター及び右眼用シャッターは、ＬＣＤ１５への左眼用及び右眼用フレームデータそれぞれの表示タイミングに同期して開閉される。
【００１８】
シャッター方式の代わりに、三次元映像の表示には、例えば、Ｘｐｏｌ（登録商標）方式等の偏光方式を用いてもよい。この場合、例えば、左眼用画像と右眼用画像とが例えば走査線単位でインタリーブされたインタリーブフレーム群が生成され、これらインタリーブフレーム群がＬＣＤ１５に表示される。ＬＣＤ１５の画面を覆う偏向フィルタは、ＬＣＤ１５の画面上の例えば奇数番目のライン群に表示される左眼用画像と偶数番目のライン群に表示される右眼用画像とを異なる方向に偏光する。ユーザは、偏向メガネを用いることにより、左眼用画像を左眼で、右眼用画像を右眼で見ることができる。
【００１９】
また、三次元映像の表示には、裸眼で立体画像を見ることが可能なレンチキラー方式やパララックス方式を用いても良い。
また、ＣＰＵ１１は、ＢＩＯＳ−ＲＯＭ１９に格納されたＢＩＯＳ（Basic Input/Output System）も実行する。ＢＩＯＳは、ハードウェア制御のためのプログラムである。
【００２０】
ノースブリッジ１２は、ＣＰＵ１１のローカルバスとサウスブリッジ１６との間を接続するブリッジデバイスである。ノースブリッジ１２には、主メモリ１３をアクセス制御するメモリコントローラも内蔵されている。また、ノースブリッジ１２は、表示コントローラ１４との通信を実行する機能も有している。
【００２１】
表示コントローラ１４は、本コンピュータ１のディスプレイとして使用されるＬＣＤ１５を制御するデバイスである。この表示コントローラ１４によって生成される表示信号はＬＣＤ１５に送られる。ＬＣＤ１５は、表示信号に基づいて映像を表示する。
【００２２】
サウスブリッジ１６は、ＰＣＩ（Peripheral Component Interconnect）バス上及びＬＰＣ（Low Pin Count）バス上の各デバイスを制御する。また、サウスブリッジ１６は、ＨＤＤ２１及びＯＤＤ２２を制御するためのＩＤＥ（Integrated Drive Electronics）コントローラ、及びＢＩＯＳ−ＲＯＭ１９をアクセス制御するメモリコントローラが内蔵されている。さらに、サウスブリッジ１６は、サウンドコントローラ１７及びＬＡＮコントローラ２０との通信を実行する機能も有している。
【００２３】
サウンドコントローラ１７は音源デバイスであり、再生対象のオーディオデータをスピーカ１８Ａ，１８Ｂに出力する。ＬＡＮコントローラ２０は、例えばEthernet（登録商標）規格の有線通信を実行する有線通信デバイスであり、無線ＬＡＮコントローラ２３は、例えばIEEE 802.11規格の無線通信を実行する無線通信デバイスである。また、ＵＳＢコントローラ２４は、例えばUSB2.0規格のケーブルを介して外部機器との通信を実行する。
【００２４】
ＥＣ／ＫＢＣ２５は、電力管理を行うためのエンベデッドコントローラと、キーボード（ＫＢ）２６、及びポインティングデバイス２７を制御するためのキーボードコントローラとが集積された１チップマイクロコンピュータである。このＥＣ／ＫＢＣ２５は、ユーザのパワーボタン２８への操作に応じて本コンピュータ１をパワーオン／パワーオフする機能を有している。さらに、ＥＣ／ＫＢＣ２５は、リモコンユニットインタフェース部３０との通信を実行する機能を有している。
【００２５】
ＴＶチューナ３１はＴＶ放送信号によって放送されるＴＶ放送データをＴＶ放送受信アンテナ３２を介して受信する受信装置である。このＴＶチューナ３１は、例えば、地上波デジタルＴＶ放送のようなデジタルＴＶ放送データを受信可能なデジタルＴＶチューナとして実現されている。また、ＴＶチューナ３１は、外部機器から入力されるビデオデータをキャプチャする機能も有している。ＴＶ放送受信アンテナ３２は、装置外部に取り付けられていてもよいし、本コンピュータ１に内蔵されていてもよい。
【００２６】
次に、図３を参照して、本実施形態の映像コンテンツ再生機能について説明する。映像コンテンツ再生機能は、制御部１００によって行われる。制御部１００の制御は、映像コンテンツ再生アプリケーションプログラム１３Ｂを実行するＣＰＵ１１による制御である。また、これに限らず、他のデバイスとともに制御が行われても良いし、ソフト制御を伴わないハード制御だけで行われても良い。
【００２７】
再生対象の映像コンテンツデータ５１は、例えば、映像（動画像）を表示するためのビデオデータを含む。映像コンテンツデータ５１は、ＴＶ放送受信アンテナ３２とチューナ３１を介して受信したＴＶ放送信号である。  映像コンテンツデータ５１内のビデオデータは、デコーダ１０１に出力される。このビデオデータは一般に符号化（圧縮符号化）されている。デコーダ１０１は符号化されたビデオデータを復号する。そして、復号したビデオデータを表示切換部１０２に出力する。表示切換部１０２は、復号されたビデオデータを２Ｄｔｏ３Ｄ変換部１０５または画像合成部１０６に出力する。通常、表示切換部１０２は復号されたビデオデータを画像合成部１０６に出力する。表示切換部１０２は、後述するとおり、表示設定検出部１０４とＣＭ（コマーシャル）映像データ検出部１０４からの検出結果に基づいて、復号したビデオデータを２Ｄｔｏ３Ｄ変換部１０５または画像合成部１０６に出力するかを切り換える。
【００２８】
表示設定検出部１０４は、ユーザにより映像コンテンツデータを三次元表示することが選択（設定）されたか、又は、二次元表示すること（三次元表示を解除すること）が選択（設定）されたかを検出して、検出結果を表示切換部１０２に通知する。ここで、三次元表示する設定になっているとは、ユーザによる操作により三次元再生する設定になっている場合や表示する映像コンテンツデータが三次元映像コンテンツデータであるときに自動で三次元表示するような設定になっている場合をいう。二次元表示する設定になっているとは、ユーザによる操作により二次元表示する設定になっている場合や表示する映像コンテンツデータが二次元映像コンテンツデータであるときに自動で二次元表示するような設定になっている場合をいう。
【００２９】
ＣＭ映像データ検出部１０３は、視聴中の映像コンテンツデータ（ＴＶ放送データ）が番組映像データからＣＭ映像データに切り換ったかやＣＭ映像データから番組映像データに切り換ったかを検出し、検出結果を表示切換部１０４に通知する。
【００３０】
ＣＭ映像データ検出部１０３による切り換りの検出は、ＴＶ放送信号から得た視聴するＴＶ放送データに含まれる放送情報を参照することによって行われる（例えば、特許文献３参照）。また、番組映像データとＣＭ映像データの間に挿入される特定の画像の有無により検出しても良い。また、過去に受信したＣＭ映像データを記憶しておき、この記憶されたＣＭ映像データとの対比によりＣＭとなったことを検出しても良い。
【００３１】
ここで、ＣＭ映像データとは、番組映像データとは、ニュース、スポーツ、ドラマ、音楽、バラエティ、映画等のコンテンツである。
２Ｄｔｏ３Ｄ変換部１０５は、復号されたビデオデータを用いて、ビデオデータに含まれる画像フレームそれぞれを解析することによって、各画像フレームに含まれる画素毎の深さ（depth）を推定する。２Ｄｔｏ３Ｄ変換部１０５は、推定した画素毎の深さを用いて、ビデオデータを三次元ビデオデータに変換する。この三次元ビデオデータは、例えば、画像フレーム内の画素毎の深さおよび設定された視差角に基づいた視差の、左眼用画像データと右眼用画像データとを含む。２Ｄｔｏ３Ｄ変換部１０５は、三次元ビデオデータを表示部１２０に出力する。
【００３２】
また、ユーザインタフェース（ＵＩ）画像生成部１１０は、映像コンテンツデータ５１（画面に表示される映像）を操作するためのメニュー等のユーザインタフェース画像データ（ＵＩ画像データ）を生成する。そして、生成したＵＩ画像データを画像合成部１０６に出力する。ユーザインタフェースには、三次元映像の表示を指示するための３Ｄ再生ボタンを含む。
【００３３】
画像合成部１０６は、ＵＩ画像、及び三次元映像またはデコーダ１０１によって復号されたビデオデータを合成する。具体的には、三次元映像が入力されている場合、画像合成部１０６は、左眼用画像データ及びＵＩ画像データを用いて、左眼用画像フレームを生成する。また、画像合成部１０６は、右眼用画像データ及びＵＩ画像データを用いて、右眼用画像フレームを生成する。なお、上述の各画像データは、それぞれ画像レイヤとして生成されたものであってもよい。画像合成部１０６は、例えばアルファブレンディングによってそれら画像レイヤを重ね合わせて、画像フレームを生成する。そして、画像合成部１０６は、生成した左眼用及び右眼用画像フレームを表示部１２０に出力する。また、デコーダ１０１によって復号されたビデオデータが入力されている場合、ビデオデータ及びＵＩ画像データを用いて、画像フレームを生成する。
【００３４】
表示部１２０は、左眼用及び右眼用画像フレームが入力されている場合、画像合成部１０６によって出力された左眼用画像フレームと右眼用画像フレームとを画面（ＬＣＤ１５）に交互に表示させる。ユーザは、上述のように、例えば液晶シャッターメガネを用いて画面を見ることによって、三次元画像を知覚することができる。また、表示部１２０は、左眼用画像フレームと右眼用画像フレームとを走査線単位でインタリーブしたインタリーブ画像を画面に表示してもよい。その場合、ユーザは、例えば偏光メガネを用いて画面を見ることによって、三次元画像を知覚することができる。ビデオデータ及びＵＩ画像データから生成された画像フレームが入力されている場合、表示部１２０は画面（ＬＣＤ１５）に画像フレームを順番に表示させる。
【００３５】
記録部１０６は、映像コンテンツデータをＨＤＤ２１に記録する処理を行う。ＨＤＤ２１に記録された映像コンテンツデータは、ユーザ等の指示に応じて、デコーダ１０１に出力される。
【００３６】
次に、図４に示すフローチャートを参照して、映像コンテンツデータから三次元映像を生成する処理の手順を説明する。
ユーザによりＴＶ放送データを表示する操作が行われたら、ＴＶ放送データ表示処理が開始する（ステップ２０１）。
そして、表示設定検出部１０４がＴＶ放送データを二次元表示する設定になっているか三次元表示する設定になっているかを検出して、二次元表示する設定になっていたら、ステップ２０３に進む（ステップ２０２の二次元表示）。そして、表示設定検出部１０４は、復号されたＴＶ放送データを画像合成部１０６に出力する。する。そして、表示切換部１０２は、復号したビデオデータを画像合成部１０６に出力し、画像合成部１０６での処理を介して、表示部１２０にて二次元映像の表示が開始する（ステップ２０３）。
【００３７】
一方、ステップ２０２において、ＴＶ放送データを三次元表示する設定になっていたら、ステップ２０４に進む（ステップ２０２の三次元表示）。
次に、ステップ２０４において、ＣＭ映像データ検出部１０３は、視聴中のテレビ放送データが番組映像データを表示する時かＣＭ映像データを表示する時かを検出する（ステップ２０４）。ＣＭ映像データ検出部１０３は、検出結果された情報を表示切換部１０２に通知する。表示切換部１０２は、検出結果に基づいて、復号されたテレビ放送データを２Ｄｔｏ３Ｄ変換部１０５または画像合成部１０６に出力するかを切り換える。２Ｄｔｏ３Ｄ変換部１０５２Ｄｔｏ３Ｄ変換部１０５
【００３８】
番組映像データの表示タイミングである場合（ステップ２０４の番組）、表示切換部１０２は、復号されたテレビ放送データを２Ｄｔｏ３Ｄ変換部１０５に出力し、画像合成部１０６での処理を介して、表示部１２０にて三次元映像の表示を開始し（ステップ２０５）、ステップ２０６に進む。
【００３９】
ＣＭ映像データの表示タイミングである場合（ステップ２０４のＣＭ）、表示切換部１０２は、復号されたＴＶ放送データを画像合成部１０６に出力し、画像合成部１０６での処理を介して、表示部１２０にて二次元映像の表示を開始し（ステップ２０３）、ステップ２０６に進む。
【００４０】
そして、ユーザによりＴＶ放送データの表示を終了する操作が行われたら（ステップ２０６のＹｅｓ）、ＴＶ放送データの表示を終了する（ステップ２０７）。一方、ＴＶ放送データの表示を終了する操作が行われなかったら（ステップ２０６のＮｏ）、ステップ２０２に進む。
【００４１】
次に、図５に示す概念図を参照して、映像コンテンツデータを三次元表示する場合と二次元表示する場合を説明する。
この映像コンテンツデータは、時系列で番組映像データとＣＭ映像データが交互に表示されるようになっている。表示設定が二次元表示設定になっている場合は、番組映像データとＣＭ映像データの種別に拘わらず、二次元表示がなされる。一方、表示設定が三次元表示設定になっている場合は、番組映像データの表示タイミングでは三次元表示がなされ、ＣＭ映像データの表示タイミングでは二次元表示がなされる。
【００４２】
ＴＶ放送データ番組のＣＭ映像データの表示する時は二次元表示にすることによって、目の疲労を感じることを抑制することが可能となる。
なお、上述した実施形態では、映像コンテンツデータのソースがＴＶ放送信号によるＴＶ放送データであったが、ＨＤＤ２１に記録された映像コンテンツデータであっても良い。また、映像コンテンツデータのソースが、Digital Versatile Disc（ＤＶＤ）やＢｕｌ−ｒａｙ（登録商標）ディスクに記録された映像コンテンツデータであって、先述の番組映像データに相当する主映像データ（例えば、映画本編）と副映像データ（例えば、ＣＭ映像）とを有する映像コンテンツデータであっても良い。この場合は、映画本編は三次元表示を行い、ＣＭ映像は二次元表示を行う。
【００４３】
また、上述した実施形態では、再生表示する映像コンテンツデータが二次元映像データである場合を例に説明したが、再生表示する映像コンテンツデータは三次元映像データである場合でも良い。この場合、三次元映像コンテンツデータ中の番組映像データについては二次元変換処理を行わずに三次元映像のまま表示して、三次元映像データ中のＣＭ映像データについては３Ｄｔｏ２Ｄ変換処理を行って二次元映像で表示する。
【００４４】
また、上述した実施形態では、番組映像データについては三次元映像で表示して、ＣＭ映像データについては二次元映像で表示しているが、多少の時間的なズレが生じても良い。例えば、ＣＭ映像データの表示タイミングになって数秒後に二次元映像表示に切り換えても良いし、番組映像データになる数秒前に三次元映像表示に切り換えても良い。
【００４５】
なお、上述した実施形態では、電子機器がノートブックタイプのパーソナルコンピュータとして実現された例を説明したが、電子機器がテレビ、録画再生機、ＤＶＤレコーダー、Ｂｒｕ−ｒａｙレコーダーとして実現されていても良い。
【００４６】
なお、上記各実施形態に記載した手法は、コンピュータに実行させることのできるプログラムとして、磁気ディスク（フレキシブルディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【００４７】
また、この記憶媒体としては、プログラムを記憶でき、かつコンピュータが読み取り可能な記憶媒体であれば、その記憶形式は何れの形態であっても良い。
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行しても良い。
【００４８】
さらに、本発明における記憶媒体は、コンピュータと独立した媒体に限らず、ＬＡＮやインターネット等により伝送されたプログラムをダウンロードして記憶または一時記憶した記憶媒体も含まれる。
【００４９】
また、記憶媒体は１つに限らず、複数の媒体から本実施形態における処理が実行される場合も本発明における記憶媒体に含まれ、媒体構成は何れの構成であっても良い。
【００５０】
尚、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であっても良い。
【００５１】
上記実施形態で説明された各モジュールの機能を実現するためには、プロセッサによって実行されるソフトウェアアプリケーションによって実現しても良いし、ハードウェアによる処理回路によって実現しても良いし、ハードウェアによって実現しても良いし、ソフトウェアアプリケーション、ハードウェア、およびソフトウェアモジュールを組み合わせて実現しても良い。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１…パーソナルコンピュータ、１００…制御部、１０２…表示切換部、１０３…ＣＭ映像データ検出部、１０４…表示設定検出部、１０５…２Ｄｔｏ３Ｄ変換部。
【図１】
0005166567.tif 000002
【図２】
0005166567.tif 000003
【図３】
0005166567.tif 000004
【図４】
0005166567.tif 000005
【図５】
0005166567.tif 000006